(57)【特許請求の範囲】
【請求項１】
円盤状記録媒体に光学的に情報を記録又は再生する装置に組み込んで使用され、前記円盤状記録媒体に垂直な方向であるフォーカシング方向に光軸を有する対物レンズ、前記対物レンズを保持するレンズホルダを有する可動体と、
基台と、前記可動体を前記基台に対し少なくとも前記フォーカシング方向または前記円盤状記録媒体の半径方向であるトラッキング方向に弾性移動可能に支持するよう、先端を前記可動体に、基端を前記基台に固定された複数本の導電性材料からなる棒状弾性支持部材と、前記可動体に搭載され少なくとも前記フォーカシング方向の駆動力を発生するフォーカシングコイルと、
所定の形状で３つ以上の領域に分割された制御電極および前記制御電極に対向した共通電極とを備え、前記３つ以上の制御電極のうち両端の制御電極の両端電位の間の少なくとも１種類の電位を生成する分圧抵抗を一体的に構成され前記対物レンズの光軸上に位置するように前記可動体に搭載された液晶素子と、
前記基台に配設され前記フォーカシングコイルに磁界を付与する磁界発生手段からなり、
前記複数の棒状弾性支持部材のうち少なくとも２本を用いてフォーカシングコイルの駆動信号が供給され、
前記可動体上の前記フォーカシングコイルの両端および前記基台側の前記フォーカシングコイルの駆動信号が供給される前記棒状弾性支持部材の両端は複数の直列抵抗器によって連結されており、前記複数の直列抵抗器の各接点のうち前記フォーカシングコイルの両端の電位の平均電位となる中間接点と前記液晶素子の前記共通電極が電気的に接続されており、かつ前記複数の棒状弾性支持部材のうち少なくとも他の２本を用いて前記中間接点の電位を基準とした液晶素子を駆動するための信号が供給される
ことを特徴とする対物レンズ駆動装置。
【請求項２】
円盤状記録媒体に光学的に情報を記録又は再生する装置に組み込んで使用され、前記円盤状記録媒体に垂直な方向であるフォーカシング方向に光軸を有する対物レンズ、前記対物レンズを保持するレンズホルダを有する可動体と、
基台と、前記可動体を前記基台に対し少なくとも前記フォーカシング方向または前記円盤状記録媒体の半径方向であるトラッキング方向に弾性移動可能に支持するよう、先端を前記可動体に、基端を前記基台に固定された少なくとも４本の導電性材料からなる棒状弾性支持部材と、前記可動体に搭載され少なくとも前記トラッキング方向の駆動力を発生するトラッキングコイルと、
所定の形状で３つ以上の領域に分割された制御電極および前記制御電極に対向した共通電極とを備え、前記３つ以上の制御電極のうち両端の制御電極の両端電位の間の少なくとも１種類の電位を生成する分圧抵抗を一体的に構成され前記対物レンズの光軸上に位置するように前記可動体に搭載された液晶素子と、
前記基台に配設され前記トラッキングコイルに磁界を付与する磁界発生手段からなり、
前記複数の棒状弾性支持部材のうち少なくとも２本を用いてトラッキングコイルの駆動信号が供給され、前記可動体上の前記トラッキングコイルの両端および前記基台側の前記トラッキングコイルの駆動信号が供給される前記棒状弾性支持部材の両端は複数の直列抵抗器によって連結されており、前記複数の直列抵抗器の各接点のうち前記トラッキングコイルの両端の電位の平均電位となる中間接点と前記液晶素子の前記共通電極が電気的に接続されており、かつ前記複数の棒状弾性支持部材のうち少なくとも他の２本を用いて前記中間接点の電位を基準とした液晶素子を駆動するための信号が供給される
ことを特徴とする対物レンズ駆動装置。
【請求項３】
液晶素子はコマ収差補正用のパターンを備えたことを特徴とする請求項１または２に記載の対物レンズ駆動装置。
【請求項４】
液晶素子は球面収差補正用のパターンを備えたことを特徴とする請求項１または２に記載の対物レンズ駆動装置。
【請求項５】
光源と、前記光源から出射する光を円盤状記録媒体に集光する対物レンズと、前記対物レンズを搭載する請求項１〜４のいずれかに記載の対物レンズ駆動装置と、前記円盤状記録媒体から反射した光を受けて電気信号に変換する光検出器を備えたことを特徴とする光ピックアップ。
【請求項６】
請求項５に記載の光ピックアップを搭載し、フォーカシングコイルおよびトラッキングコイルに供給する信号を調整してフォーカシングサーボおよびトラッキングサーボを行って円盤状記録媒体に光学的に情報を記録または再生することを特徴とする光ディスク装置。
【請求項７】
円盤状記録媒体の再生信号のジッター値を検出してその値が最小になるように液晶素子を駆動するための信号を生成することを特徴とする請求項６に記載の光ディスク装置。
【請求項８】
円盤状記録媒体の再生信号の振幅を検出してその値が最大になるように液晶素子を駆動するための信号を生成することを特徴とする請求項６に記載の光ディスク装置。
【発明の詳細な説明】
【０００１】
【発明の属する技術分野】
本発明は、対物レンズ駆動装置に関し、特に、円盤状記録媒体に光学的に情報を記録又は再生する装置の対物レンズ駆動装置であって、対物レンズ駆動装置の可動体に液晶素子を搭載して上記の光学的に情報を記録又は再生する装置で発生する収差を補正することができるものに関するものである。
【０００２】
【従来の技術】
対物レンズ駆動装置は、ＣＤ（コンパクトディスク）などの円盤状記録媒体（以下、ディスクという）に光学的に情報を記録又は再生する装置（以下、光ディスク装置という）に組込まれ情報を記録又は再生するための光学系を備えた光ピックアップに搭載され、ディスクの反りの上下運動によるフォーカシングずれや偏心などによるトラッキングずれを補正するために、対物レンズを該対物レンズの光軸方向であるディスクに対して垂直な方向（以下、フォーカシング方向という）、及びディスクの上記所定の半径方向（以下トラッキング方向という）の２軸に駆動する。
【０００３】
上記のような対物レンズ駆動装置を含む光ディスク装置において、ディスク面に対する対物レンズの光軸の相対傾き（以下、チルトという）が生じていると、コマ収差が発生し記録再生時の信号が劣化する要因となる。
【０００４】
さらに、ディスクの厚みのばらつきによっても球面収差が発生し記録再生時の信号が劣化する要因となる。
【０００５】
とくに、ＣＤに比べてＤＶＤ（デジタルバーサタイルディスク）などの高密度化されたディスクへの記録再生時にはチルトおよびディスク厚みばらつきに対する許容度が小さくなっており、これらが要因となって発生する収差を補正する機能が必要となる。
【０００６】
そこで、液晶素子を用いて収差を補正する方式が特開平１０−２０２６３号公報などによってすでに開示されている。
【０００７】
収差補正のための液晶素子は、制御電極が所定のパターンで複数の領域に分割されて形成されており、各領域に印可する電圧調整により透過するレーザー光の位相差を加減して収差を補正する。
【０００８】
しかしながら、上記のような液晶素子を対物レンズとは別体に光ピックアップの光学系に配置した場合、対物レンズがトラッキング方向に移動したときに液晶の制御電極のパターンと対物レンズの光軸との位置ずれ、すなわち発生している収差分布と制御電極のパターンのずれによって収差補正能力が低下し、記録再生信号が劣化するという課題があった。
【０００９】
この課題を解決するためには液晶素子を対物レンズ駆動装置の可動体に搭載して、対物レンズと一体に駆動することにより、対物レンズがトラッキング方向に移動したときでも収差補正能力が低下することはなく、記録再生信号が劣化することはない。
【００１０】
ところが、収差補正のための液晶素子において必要な給電線としては、制御電極の各領域に与える電圧のうち最大電圧と最小電圧および共通電極に与える電圧をそれぞれ印加するための少なくとも３本の給電線が必要である。
【００１１】
一方、このような対物レンズ駆動装置においては、対物レンズを保持するレンズホルダを、少なくともフォーカシング方向及びトラッキング方向の２方向に弾性移動可能に支持するための支持機構として４本の金属線を使用しており、レンズホルダに搭載されたフォーカシングコイルおよびトラッキングコイルへの給電線としてこの４本の金属線を兼用している。
【００１２】
従って、液晶素子のための給電線としてはリード線やＦＰＣ等を新たに設けて駆動信号を供給するか、支持機構としての金属線の本数を増やしてこの金属線を用いて駆動信号を供給する必要がある。
【００１３】
リード線によって駆動信号を供給する場合には、可動体に負勢力がかからないよう細い線を用いる必要があるが、組立時の作業性が悪く工数増大によりコストアップ要因となることに加えて、組立後の断線など信頼性を劣化させるという課題がある。
【００１４】
また、ＦＰＣを用いて駆動信号を供給する場合には、リード線と比較して信頼性は向上するが、繰り返し曲げ伸ばしして使用した場合の信頼性は金属線より低く、組立ばらつきや可動体の移動、雰囲気温度により可動体には任意の方向と大きさの負勢力がかかってしまう。その結果、可動体の姿勢がばらついて液晶素子で補正することのできないＡＣ的なチルトが発生することによる記録再生信号の劣化、あるいはフォーカシング方向、トラッキング方向に対物レンズを駆動したときの不要共振の発生による制御性能の劣化という課題を有することとなる。
【００１５】
そこで、支持機構としての金属線の本数を増やして駆動信号を供給することにより信頼性を十分確保することができる。
【００１６】
【発明が解決しようとする課題】
しかしながら、フォーカシング駆動およびトラッキング駆動の駆動信号の供給に用いる４本の金属線に液晶素子の駆動信号の供給に用いる３本を加えて合計７本となり、支持機構としての対称性を得るために金属線の本数を偶数とするため最少でも８本の金属線により支持機構を構成することとなる。
【００１７】
金属線の本数が４本から８本に増えた結果、部品点数の増大による材料コスト、組立工数増大による作業コストおよび不良品が発生する確立が増大することによって製品のコストアップを招くという課題があった。
【００１８】
さらに、金属線の本数の増大に伴い、部品単体ばらつきおよび組立ばらつきの要因が増えることとなり、その結果、可動体の姿勢がばらついて液晶素子で補正することのできないＡＣ的なチルトが発生することによる記録再生信号の劣化、あるいはフォーカシング方向、トラッキング方向に対物レンズを駆動したときの不要共振の発生による制御性能の劣化という課題を有することとなる。
【００１９】
また、金属線が増えたことによる支持機構のバネ定数の増大を防止して、フォーカシング方向、トラッキング方向の低域での駆動感度を確保するためにはより細い金属線を用いる必要があり、金属線の真直性等の単体性能を確保することが困難となってさらにばらつき要因が増大してＡＣチルトの発生や不要共振の発生を招くという課題があった。
【００２０】
本発明はかかる問題点を解決するためになされたもので、可動体に液晶素子を搭載し、対物レンズのトラッキング方向への移動による収差補正能力の劣化がない収差補正機能を実現することができるとともに、支持機構としての金属線による液晶素子への給電線の本数を削減して、十分な信頼性の確保を達成すると同時にばらつき要因を低減してＡＣチルトの発生による記録再生信号の劣化や不要共振の発生による制御性能の劣化をなくすことのできる対物レンズ駆動装置を提供することを目的としている。
【００２１】
【課題を解決するための手段】
本発明に係る対物レンズ駆動装置は、円盤状記録媒体に光学的に情報を記録又は再生する装置に組み込んで使用され、前記円盤状記録媒体に垂直な方向であるフォーカシング方向に光軸を有する対物レンズ、前記対物レンズを保持するレンズホルダを有する可動体と、基台と、前記可動体を前記基台に対し少なくとも前記フォーカシング方向または前記円盤状記録媒体の半径方向であるトラッキング方向に弾性移動可能に支持するよう、先端を前記可動体に、基端を前記基台に固定された少なくとも４本の導電性材料からなる棒状弾性支持部材と、前記可動体に搭載され少なくとも前記フォーカシング方向の駆動力を発生するフォーカシングコイルと、前記可動体に搭載され少なくとも前記トラッキング方向の駆動力を発生するトラッキングコイルと、所定の形状で複数領域に分割された制御電極および前記制御電極に対向した共通電極とを備え、前記対物レンズの光軸上に位置するように前記可動体に搭載された液晶素子と、前記基台に配設され前記フォーカシングコイルおよび前記トラッキングコイルに磁界を付与する磁界発生手段からなり、前記フォーカシングコイルまたは前記トラッキングコイルの駆動信号に前記液晶素子の駆動信号を重畳して同一の前記棒状弾性支持部材を用いて信号を供給するように構成したものである。
【００２２】
【発明の実施の形態】
以下本発明の実施の形態について、図面を参照しながら説明する。
【００２３】
（実施の形態１）
図１は本発明の実施の形態１による対物レンズ駆動装置の駆動回路の構成を示す構成図、図２は本発明の実施の形態１による対物レンズ駆動装置の斜視図、図３は本発明の実施の形態１による対物レンズ駆動装置を含む光ピックアップの光学構成図、図４は液晶素子の制御電極のパターン図、図５は液晶素子の構造を示す断面図である。
【００２４】
これらの図において、Ｆはフォーカシング方向、Ｔはトラッキング方向、Ｓはフォーカシング方向Ｆおよびトラッキング方向Ｔに垂直な接線方向、Ｒは接線方向Ｓの回りの回転方向であるラジアル方向、Ｋは光軸方向を示している。
【００２５】
まず、図２および図３を用いて本発明の実施の形態１による対物レンズ駆動装置の機構部の構成について説明する。
【００２６】
図２および図３において１４はディスク、１は対物レンズ、２は成形された樹脂からなるレンズホルダである。４はレンズホルダ２に対してフォーカシング方向Ｆの軸回りに巻回し固着されたフォーカシングコイル、５はレンズホルダ２に対してトラッキング方向Ｔの軸回り巻回し固着されたトラッキングコイル、７は対物レンズ１の光軸Ｋ上に位置するようにレンズホルダ２上に配置固着されたコマ収差補正用の液晶素子、８ａ，８ｂはトラッキング方向Ｔに沿って対物レンズ１を挟むようにレンズホルダの側面に配置固着された端子板で、端子板８ｂにはコンデンサ１５ｂおよび１５ｃが搭載されている。従って、対物レンズ１、レンズホルダ２、フォーカシングコイル４、トラッキングコイル５、液晶素子７、端子板８ａ，８ｂ、コンデンサ１５ａ〜１５ｄによって可動体１２が構成されている。
【００２７】
３ａ〜３ｄは接線方向Ｓに軸をもつ互いに略平行な導電性材料からなる棒状弾性支持部材であるワイヤーで、ワイヤー３ａ〜３ｄの一端は可動体１２の端子板８ａ，８ｂに半田固定されている。
【００２８】
また、１１はワイヤー３ａ〜３ｄのそれぞれの一端が固定されているワイヤーホルダーであり、ワイヤーホルダー１１は基台１０に固定されている。
【００２９】
１３はワイヤーホルダー１１に固定され、ディスク１４とのラジアル方向Ｒの傾きを検出するチルトセンサである。
【００３０】
６ａ，６ｂは接線方向Ｓに沿って可動体１２を挟むように配置され互いに同極が対向するように基台１０に固定された永久磁石であり、永久磁石６ａ，６ｂはフォーカシングコイル４の一部およびトラッキングコイル５の一部と対向する位置関係にある。
【００３１】
従って、対物レンズ１のフォーカシング方向Ｆおよびトラッキング方向Ｔへの駆動は以下のようにして行う。
【００３２】
まず、フォーカシング方向Ｆの駆動は、フォーカシングコイル４の一部が永久磁石６ａ，６ｂによって発生する磁束と直交することにより得られる電磁力を受け可動体１２がワイヤー３ａ〜３ｄによって支持されてフォーカシング方向Ｆに略並進運動することによって得られ、フォーカシングコイル４に流れる電流の量によって対物レンズ１の移動量を加減する。
【００３３】
トラッキング方向Ｔの駆動は、トラッキングコイル５の一部が永久磁石６ａ，６ｂによって発生する磁束と直交することにより得られる電磁力を受け可動体１２がワイヤー３ａ〜３ｄによって支持されてトラッキング方向Ｔに略並進運動することによって得られ、トラッキングコイル５に流れる電流の量によって対物レンズ１の移動量を加減する。
【００３４】
次に、図３を用いて本発明の実施の形態１による対物レンズ駆動装置を含む光ピックアップの光学構成について説明する。
【００３５】
本発明の実施の形態１による対物レンズ駆動装置を含む光ピックアップの光学構成は光源である半導体レーザー１９と、偏光ビームスプリッター２０、集光レンズ２１、液晶素子７、１／４波長板２２、対物レンズ１、ディスク１４、シリンドリカルレンズ２３、光検出器２４によって構成される。
【００３６】
上記光ピックアップは以下のように動作する。半導体レーザー１９より出射されたＰ偏光の光束は、偏光ビームスプリッター２０を透過し、集光レンズ２１により略平行な光束となり、液晶素子７と１／４波長板２２とを透過する。１／４波長板２２を透過するとき、光束はＰ偏光から円偏光に変えられる。１／４波長板２２を透過した光は、対物レンズ１によってディスク１４の情報記録面に集光される。
【００３７】
ディスク１４の情報記録面からの反射した光は、再び対物レンズ１に入り、１／４波長板２２を透過する。１／４波長板２２を透過する光は、円偏光からＳ偏光に変えられる。１／４波長板２２を透過した光は、液晶素子７を透過し、偏光ビームスプリッタ２０で反射され、シリンドリカルレンズ２３で光検出器２４に集光される。光検出器２４は、受光した光束を光電変換して再生信号を形成するとともに、非点収差法によりフォーカシング駆動信号を形成し、位相差法あるいはプッシュプル法によりトラッキング駆動信号を形成して、これらの信号を出力する。
【００３８】
さらに、図１、図４および図５を用いてコマ収差補正用の液晶素子７について説明する。液晶素子７はガラスによって形成された基材７ｍ，７ｎの間に制御電極７ａ〜７ｅ、液晶部７ｇ、共通電極７ｆの順に配置構成されている。制御電極７ａ〜７ｅは図４に示すようにラジアル方向のチルトが発生したときの収差分布に合った形に領域分割されて基材７ｍの内面に蒸着されており、共通電極７ｆは基材７ｎ上に一様に蒸着されている。ここで制御電極７ａ〜７ｅおよび共通電極７ｆは外部からの信号を液晶部７ｇに印加するとともに、光を透過させる透明電極である。
【００３９】
また、図１に示すように制御電極７ａと制御電極７ｅの間に直列に抵抗を配列した分圧抵抗７ｈ〜７ｋを構成し、分圧抵抗７ｈと分圧抵抗７ｉの間の接点と制御電極７ｂ、分圧抵抗７ｉと分圧抵抗７ｊの間の接点と制御電極７ｃ、分圧抵抗７ｊと分圧抵抗７ｋの間の接点と制御電極７ｄをそれぞれ接続している。従って、制御電極７ａの電位と制御電極７ｅの電位の差が分圧抵抗７ｈ〜７ｋによって分圧され、制御電極７ｂ，７ｃ，７ｄに分圧された各値の電位がそれぞれ付与される。結果として、制御電極７ａ〜７ｅには階段状の電位がそれぞれ印可されることとなる。この分圧抵抗７ｈ〜７ｋは光を透過させる透明な薄膜抵抗で形成されており、基材７ｍ，７ｎの内面に蒸着されている。
【００４０】
この液晶部７ｇは、共通電極７ｆの電圧に対する制御電極７ａ〜７ｅの電圧の電位差によって入射光束の位相を変化させ、電位差の大きさに応じて変化する位相量を加減することができ、これを用いてディスク１４と対物レンズ１との相対的なチルトによって生じるコマ収差を上記のように制御電極７ａ〜７ｅの各領域に階段状の電位を印可することにより補正することができる。
【００４１】
次に、図１を用いて本発明の実施の形態１による対物レンズ駆動装置の駆動回路の構成について説明する。本発明の実施の形態１による対物レンズ駆動装置の駆動系は、チルトセンサ１３、液晶制御回路１８、フォーカシング制御回路１６、トラッキング制御回路１７、ワイヤー３ａ〜３ｄ、フォーカシングコイル４、トラッキングコイル５、コンデンサ１５ａ〜１５ｄ、液晶素子７によって構成されている。
【００４２】
上記対物レンズ駆動装置の駆動系は以下のように動作する。まず、チルトセンサ１３によってチルト量を検出し、液晶制御回路１８によって液晶駆動信号を生成する。一方、非点収差法によりフォーカシング誤差量を検出しフォーカシング制御回路１６によってフォーカシング駆動信号を、位相差法あるいはプッシュプル法によりトラッキング誤差量を検出しトラッキング制御回路１７によってトラッキング駆動信号をそれぞれ生成する。ここでフォーカシング駆動信号およびトラッキング駆動信号の周波数帯域は、ＤＣ〜４０ｋＨｚの帯域であるが、液晶駆動信号は４０ｋＨｚ以上の周波数帯域となっている。
【００４３】
そこで、液晶素子７の制御電極７ａに最高電位、制御電極７ｄに最低電位を印可する場合は、液晶制御回路１８から出力される液晶駆動信号のうち最高電位を有する信号をフォーカシング制御回路１６から出力されるフォーカシング駆動信号と重畳してワイヤー３ａおよび３ｂを通じて対物レンズ駆動装置の可動体１２に供給する。フォーカシングコイル４には重畳された信号が通電され、対物レンズ１は信号に基づいてフォーカシング方向Ｆに駆動されるが、可動体１２の固有振動数は４０ｋＨｚ以下であり、対物レンズ１は４０ｋＨｚ以上の信号には応答しない。さらに、重畳信号はコンデンサ１５ａおよび１５ｂを介して液晶素子７にも供給されており、コンデンサ１５ａおよび１５ｂによって４０ｋＨｚ以下の信号はカットされて、液晶制御回路１８で生成された液晶駆動信号のみに分離されて液晶素子７の共通電極７ｆおよび制御電極７ａに印可されることとなる。
【００４４】
液晶制御回路１８から出力される液晶駆動信号のうち最低電位を有する信号も同様にしてトラッキング制御回路１７から出力されるトラッキング駆動信号と重畳してワイヤー３ｃおよび３ｄを通じて対物レンズ駆動装置の可動体１２に供給する。トラッキングコイル５には重畳された信号が通電され、さらに、重畳信号はコンデンサ１５ｃおよび１５ｄを介して液晶素子７にも供給され、コンデンサ１５ｃおよび１５ｄによって４０ｋＨｚ以下の信号はカットされて、液晶制御回路１８で生成された液晶駆動信号のみに分離されて液晶素子７の共通電極７ｆおよび制御電極７ｅに印可されることとなる。
【００４５】
液晶素子７の制御電極７ａに最低電位、制御電極７ｄに最高電位を印可する場合も上記と同様にして、液晶駆動信号をフォーカシング駆動信号およびトラッキング駆動信号に重畳することによりワイヤー３ａ〜３ｄによって可動体１２に供給し、コンデンサ１５ａ〜１５ｄによって信号を分離して液晶素子７の共通電極７ｆおよび制御電極７ａ、制御電極７ｅに印加することによって行う。
【００４６】
以上により、液晶素子７の駆動信号をフォーカシング駆動信号およびトラッキング駆動信号に重畳して可動体１２に供給し、可動体１２上で液晶駆動信号を周波数帯域によって分離し、液晶素子に印加することによって、可動体１２への駆動信号の供給をワイヤー３ａ〜３ｄの４本で行うことができる。従って、可動体１２に液晶素子７を搭載することによって対物レンズ１のトラッキング方向Ｔへの移動による収差補正能力の劣化がない収差補正機能を実現することができるとともに、従来と同様に４本のワイヤー３による信号の供給を実現できるので、信頼性が高い金属線による支持機構を実現すると同時にばらつき要因を低減してＡＣチルトの発生による記録再生信号の劣化や不要共振の発生による制御性能の劣化をなくすことができる。さらに、ワイヤーの本数が増えないので、部品点数の増大による材料コスト、組立工数増大による作業コストおよび不良品が発生する確率が増大することがなく製品のコストアップをなくすことができる。
【００４７】
なお、上記の説明では、液晶素子７はラジアル方向Ｒのチルトによるコマ収差補正用の制御電極パターンを有しているとしているが、コマ収差補正用に限らず如何なる種類の収差補正に対応した制御電極パターンであっても同様の効果を得ることができる。例えば、タンジェンシャル方向のチルトによるコマ収差補正用のパターン、ラジアルおよびタンジェンシャルの２軸同時補正用のパターン、球面収差補正用のパターンであっても同様の効果を得ることができる。
【００４８】
また、上記の説明では、チルトセンサーによってチルト誤差量を検知して液晶駆動信号を生成するようにしているが、チルト誤差量に対応して変化する信号が検出できれば良く、例えばディスクの再生信号のジッター値を検出してその値が最小になるように液晶駆動信号を生成しても良く、あるいはディスクの再生信号の振幅を検出してその値が最大になるように液晶駆動信号を生成しても良い。
【００４９】
（実施の形態２）
図６は本発明の実施の形態２による対物レンズ駆動装置の駆動回路の構成を示す構成図、図７は本発明の実施の形態２による対物レンズ駆動装置の斜視図である。
【００５０】
これらの図において、図１および図２と同一符号は同一または相当する符号を示しており、かつ本発明の実施の形態２による対物レンズ駆動装置を含む光ピックアップの光学構成、液晶素子の構造および制御電極のパターンは図３、図４および図５と同一のものである。
【００５１】
本実施の形態２が実施の形態１と異なっている点を以下に説明する。図６および図７において端子板８ａ，８ｂにはコンデンサ１５ａ〜１５ｄに代えて抵抗２５ａおよび２５ｂが搭載されており、従って可動体１２は対物レンズ１、レンズホルダ２、フォーカシングコイル４、トラッキングコイル５、液晶素子７、端子板８ａ，８ｂ、抵抗２５ａ〜２５ｄによって構成されている。
【００５２】
可動体の支持は、ワイヤー３ａ〜３ｆの６本によりフォーカシング方向Ｆまたはトラッキング方向Ｔに移動可能に支持している。
【００５３】
本発明の実施の形態２による対物レンズ駆動装置の駆動系は、チルトセンサ１３、液晶制御回路１８、フォーカシング制御回路１６、トラッキング制御回路１７、ワイヤー３ａ〜３ｆ、フォーカシングコイル４、トラッキングコイル５、抵抗２５ａ〜２５ｄ、液晶素子７によって構成されている。ここで、抵抗２５ａと抵抗２５ｃ、抵抗２５ｂと抵抗２５ｄはそれぞれ略同じ抵抗値となる抵抗となっている。
【００５４】
上記対物レンズ駆動装置の駆動系は以下のように動作する。まず、非点収差法によりフォーカシング誤差量を検出しフォーカシング制御回路１６によってフォーカシング駆動信号を、位相差法あるいはプッシュプル法によりトラッキング誤差量を検出しトラッキング制御回路１７によってトラッキング駆動信号をそれぞれ生成する。
【００５５】
フォーカシング駆動信号はワイヤー３ａおよび３ｂを通じて可動体１２に供給され、フォーカシングコイル４に印可されて、対物レンズ１はフォーカシング駆動信号に基づいてフォーカシング方向Ｆに駆動される。
【００５６】
また、トラッキング駆動信号はワイヤー３ｃおよび３ｄを通じて可動体１２に供給され、トラッキングコイル５に印可されて、対物レンズ１はトラッキング駆動信号に基づいてトラッキング方向Ｔに駆動される。
【００５７】
一方、トラッキング制御回路１７によって生成されたトラッキング駆動信号の両端を直列に配列された抵抗２５ｃおよび２５ｄによって接続し、抵抗２５ｃおよび２５ｄの間の中間電位が液晶制御回路１８に入力されている。さらに、チルトセンサ１３によってチルト量を検出し、液晶制御回路１８によって抵抗２５ｃおよび２５ｄの間の中間電位を基準電位とした液晶駆動信号を生成する。
【００５８】
そこで、液晶素子７の制御電極７ａに最高電位、制御電極７ｄに最低電位を印可する場合は、液晶制御回路１８から出力される液晶駆動信号のうち最高電位を有する信号はワイヤー３ｅを通じて、最低電位を有する信号はワイヤー３ｆを通じて対物レンズ駆動装置の可動体１２に供給され、それぞれ液晶素子の制御電極７ａおよび７ｅに印可される。さらに、トラッキングコイル５の両端を直列に配列された抵抗２５ａおよび２５ｂによって接続し、抵抗２５ａおよび２５ｂの間の中間電位が液晶素子７の共通電極７ｆに入力されている。従って、トラッキングコイル５の両端の中間電位を基準電位とした液晶駆動信号に基づいて、液晶素子が駆動されることとなる。
【００５９】
液晶素子７の制御電極７ａに最低電位、制御電極７ｄに最高電位を印可する場合も上記と同様にして、液晶制御回路１８から出力される液晶駆動信号のうち最高電位を有する信号はワイヤー３ｆを通じて、最低電位を有する信号はワイヤー３ｅを通じて対物レンズ駆動装置の可動体１２に供給され、それぞれ液晶素子の制御電極７ａおよび７ｅに印可される。さらに、トラッキングコイル５の両端を直列に配列された抵抗２５ａおよび２５ｂによって接続し、抵抗２５ａおよび２５ｂの間の中間電位が液晶素子７の共通電極７ｆに入力されている。従って、トラッキングコイル５の両端の中間電位を基準電位とした液晶駆動信号に基づいて、液晶素子が駆動される。
【００６０】
以上により、トラッキングコイル５の両端の中間電位を基準電位として液晶駆動信号を生成して液晶素子７の制御電極７ａおよび７ｅに供給するとともに、そのトラッキングコイル５の両端の中間電位を可動体１２上で液晶素子７の共通電極７ｆに供給することによって、可動体１２への駆動信号の供給をワイヤー３ａ〜３ｆの６本で行うことができる。
【００６１】
従って、可動体１２に液晶素子７を搭載することによって対物レンズ１のトラッキング方向Ｔへの移動による収差補正能力の劣化がない収差補正機能を実現することができるとともに、液晶素子７への給電線の本数を削減して合計６本のワイヤー３による信号の供給を実現できるので、信頼性が高い金属線による支持機構を実現すると同時にばらつき要因を低減してＡＣチルトの発生による記録再生信号の劣化や不要共振の発生による制御性能の劣化を抑制することができる。
【００６２】
さらに、ワイヤーの本数を削減したので、部品点数の増大による材料コスト、組立工数増大による作業コストおよび不良品が発生する確率を最小限に抑制することができる。また、上記の効果を得るのに可動体１２上に搭載する部品として液晶素子の他に抵抗２５ａおよび２５ｂのみで実現すことができるので、安価でかつ可動体１２の重量増加を抑制してフォーカシング方向およびトラッキング方向の駆動効率を劣化させることなく上記の効果を実現することができる。
【００６３】
なお、上記の説明では抵抗２５ａ、２５ｂを別部品として説明したが、分圧抵抗７ｈ〜７ｋと同様に液晶素子７の内部に透明な薄膜抵抗として構成することも可能であり，この場合、可動体１２上に搭載する部品は液晶素子７のみであり、より安価でかつフォーカシング方向およびトラッキング方向の駆動効率をより向上することができる。
【００６４】
また、上記の説明では、液晶駆動信号の基準電位をトラッキングコイル５の両端に抵抗２５ａ，２５ｂと２５ｃ，２５ｄを接続することにより得られる中間電位によって生成したが、トラッキングコイル５に代えてフォーカシングコイル４の両端に抵抗２５ａ，２５ｂと２５ｃ，２５ｄを接続することにより得られる中間電位によって生成しても同様の効果を得ることができるのは言うまでもない。
【００６５】
また、上記の説明では、液晶素子７はラジアル方向Ｒのチルトによるコマ収差補正用の制御電極パターンを有しているとしているが、コマ収差補正用に限らず如何なる種類の収差補正に対応した制御電極パターンであっても同様の効果を得ることができる。例えば、タンジェンシャル方向のチルトによるコマ収差補正用のパターン、ラジアルおよびタンジェンシャルの２軸同時補正用のパターン、球面収差補正用のパターンであっても同様の効果を得ることができる。
【００６６】
さらに、上記の説明では、チルトセンサーによってチルト誤差量を検知して液晶駆動信号を生成するようにしているが、チルト誤差量に対応して変化する信号が検出できれば良く、例えばディスクの再生信号のジッタ−値を検出してその値が最小になるように液晶駆動信号を生成しても良く、あるいはディスクの再生信号の振幅を検出してその値が最大になるように液晶駆動信号を生成しても良い。
【００６７】
【発明の効果】
以上のように、請求項１、請求項２および請求項３の発明によれば、液晶素子の駆動信号をフォーカシング駆動信号およびトラッキング駆動信号に重畳して可動体に供給し、可動体上で液晶駆動信号を周波数帯域によって分離し、液晶素子に印加することによって、可動体への駆動信号の供給を４本のワイヤーで行うことができる。
【００６８】
従って、可動体に液晶素子を搭載することによって対物レンズのトラッキング方向Ｔへの移動による収差補正能力の劣化がない収差補正機能を実現することができるとともに、従来と同様に４本のワイヤーによる信号の供給を実現できるので、信頼性が高い金属線による支持機構を実現すると同時にばらつき要因を低減してＡＣチルトの発生による記録再生信号の劣化や不要共振の発生による制御性能の劣化をなくすことができる。さらに、ワイヤーの本数が増えないので、部品点数の増大による材料コスト、組立工数増大による作業コストおよび不良品が発生する確率が増大することがなく製品のコストアップをなくすことができる。
【００６９】
また、請求項４および請求項５の発明によれば、トラッキングコイルまたはフォーカシングコイルの両端の中間電位を基準電位として液晶駆動信号を生成して液晶素子の制御電極およびに供給するとともに、そのトラッキングコイルまたはフォーカシングコイルの両端の中間電位を可動体上で液晶素子の共通電極に供給することによって、可動体への駆動信号の供給を６本のワイヤーで行うことができる。
【００７０】
従って、可動体に液晶素子を搭載することによって対物レンズのトラッキング方向Ｔへの移動による収差補正能力の劣化がない収差補正機能を実現することができるとともに、液晶素子への給電線の本数を削減して合計６本のワイヤーによる信号の供給を実現できるので、信頼性が高い金属線による支持機構を実現すると同時にばらつき要因を低減してＡＣチルトの発生による記録再生信号の劣化や不要共振の発生による制御性能の劣化を抑制することができる。
【００７１】
さらに、ワイヤーの本数を削減したので、部品点数の増大による材料コスト、組立工数増大による作業コストおよび不良品が発生する確率を最小限に抑制することができる。また、上記の効果を得るのに可動体上に搭載する部品として液晶素子の他に２つの抵抗のみで実現すことができるので、安価でかつ可動体の重量増加を抑制してフォーカシング方向およびトラッキング方向の駆動効率を劣化させることなく上記の効果を実現することができる。
【図面の簡単な説明】
【図１】本発明の実施の形態１による対物レンズ駆動装置の駆動回路の回路図
【図２】本発明の実施の形態１による対物レンズ駆動装置の斜視図
【図３】本発明の実施の形態１による対物レンズ駆動装置を含む光ピックアップの光学構成図
【図４】本発明の実施の形態１による対物レンズ駆動装置における液晶素子の制御電極のパターン図
【図５】本発明の実施の形態１による対物レンズ駆動装置における液晶素子の構造を示す断面図
【図６】本発明の実施の形態２による対物レンズ駆動装置の駆動回路の回路図
【図７】本発明の実施の形態２による対物レンズ駆動装置の斜視図
【符号の説明】
１  対物レンズ
２  レンズホルダ
３ａ〜３ｆ  ワイヤー
４  フォーカシングコイル
５  トラッキングコイル
６ａ，６ｂ  永久磁石
７  液晶素子
７ａ〜７ｅ  制御電極
７ｆ  共通電極
７ｇ  液晶部
７ｈ〜７ｋ  分圧抵抗
７ｍ，７ｎ  基材
８ａ，８ｂ  端子板
９ａ  導線
１０  基台
１１  ワイヤーホルダー
１２  可動体
１３  チルトセンサ
１４  ディスク
１５ａ〜１５ｄ  コンデンサ
１６  フォーカシング制御回路
１７  トラッキング制御回路
１８  液晶制御回路
１９  半導体レーザー
２０  偏光ビームスプリッター
２１  集光レンズ
２２  １／４波長板
２３  シリンドリカルレンズ
２４  光検出器
２５ａ〜２５ｄ  抵抗
Ｋ  光軸
Ｆ  フォーカシング方向
Ｔ  トラッキング方向
Ｒ  ラジアル方向
Ｓ  接線方向
【図１】
0003575380.tif 000002
【図２】
0003575380.tif 000003
【図３】
0003575380.tif 000004
【図４】
0003575380.tif 000005
【図５】
0003575380.tif 000006
【図６】
0003575380.tif 000007
【図７】
0003575380.tif 000008